(57)【要約】【課題】カラオケ装置のモニタに表示する各種表示情報の適宜選択して、その全部乃至一部をカラオケ用リモコン装置の表示部で表示することができるカラオケシステムを提供する。【解決手段】カラオケ装置１００は、歌詞映像，背景映像，ガイドメッセージ映像，保守点検サービス用映像などの各映像情報ごとに当該映像情報を展開する複数のプレーン（プレーン１，２，３，４，〜，Ｎ）を備え、前記プレーンについて合成するプレーンの組み合わせ情報に基づいてプレーンの合成映像情報を作成し、当該合成映像情報をリモコン装置２００に送信して、リモコン装置２００で該合成映像情報を受信して表示する。【選択図】  図１
2005258008.tif 000002
【特許請求の範囲】
【請求項１】
カラオケ装置と該カラオケ装置と双方向通信を行うリモコン装置からなるカラオケシステムであって、
前記カラオケ装置は、歌詞情報，背景情報，ガイドメッセージ情報，保守点検サービス用情報などの情報コンテンツごとに当該情報の映像を展開するプレーンを備えたプレーン処理部と、
前記プレーンについて合成するプレーンの組み合わせ情報を記憶するプレーン合成情報記憶部と、
前記プレーン合成情報に基づいてプレーンの合成映像を作成するプレーン合成処理部と、
前記作成した合成映像情報をリモコン装置に送信する通信処理部とを備え、
リモコン装置は、前記合成映像情報を受信して表示する表示処理部を備えたことを特徴とするカラオケシステム。  
【請求項２】
前記プレーン合成情報記憶部は、カラオケ装置およびリモコン装置毎にプレーン合成情報を記憶することを特徴とする請求項１に記載のカラオケシステム。
【請求項３】
前記リモコン装置は、前記プレーン合成情報の登録機能を備え、登録されたプレーン合成情報をカラオケ装置に送信することを特徴とする請求項１又は２のいずれかに記載のカラオケシステム。
【発明の詳細な説明】
【技術分野】
【０００１】
本発明は、カラオケシステムに係り、更に詳しくは、カラオケ装置とカラオケ用リモコン装置とからなり、カラオケ装置で作成した画面をリモコン装置で表示することができるものに関する。
【背景技術】
【０００２】
従来、カラオケ装置には、ユーザに対して、ガイド情報や警告情報を表示する機能を備えており、このような情報の表示をカラオケ装置に接続されたモニタにガイドメッセージを表示したり、カラオケ装置のフロントパネルに設けられたＬＥＤを点灯や消灯することで行っている。このようなカラオケ装置としては、例えば特許文献１に記載のものが知られている。
【特許文献１】特開平9-134185号公報
【発明の開示】
【発明が解決しようとする課題】
【０００３】
しかしながら、他のユーザがカラオケをしている最中に、モニタにガイドメッセージを出すことは、唄っている人の気分を害し、迷惑をかける。また、フロントパネルのＬＥＤは、カラオケ装置のデザインによって表示ＬＥＤが存在していなかったり、場所がカラオケ装置の機種毎に異なったりして、表示の確認が容易でない、という問題があった。
【０００４】
また、他の問題としては、サービスマンの視点からみた場合に発生する。すなわち、サービスマンは製品出荷前のバージョンアップや修理作業を１日何十台とこなしているが、その何十台というカラオケ装置のそれぞれの映像出力端子にサービス用モニタを接続し、メンテナンスを行い、終了後モニタの接続を外すという動作そのものが、メンテナンス作業を煩雑化しているという問題があった。更に、メンテナンスするために、モニタを設置する場所の確保しなければならないという問題や、ブラウン管等で構成される表示装置は一般的に消費電力が大きく、コスト面又は環境面からも問題があった。
【０００５】
本発明は、上記の問題点を解決する為になされたものであり、カラオケ装置において、表示すべき情報の一部をリモコン装置に搭載されたＬＣＤ等の表示部で表示できるようにしたカラオケシステムを提供することを目的とする。
【課題を解決するための手段】
【０００６】
請求項１に係る本発明のカラオケシステム１は、上記の目的を達成する為に、カラオケ装置１００と該カラオケ装置１００と双方向通信を行うリモコン装置２００からなるカラオケシステム１であって、前記カラオケ装置１００は、歌詞情報，背景情報，ガイドメッセージ情報，保守点検サービス用情報などの情報コンテンツごとに当該情報の映像を展開するプレーン（プレーン１，２，３，４，〜，Ｎ）を備えたプレーン処理部１２４と、前記プレーンについて合成するプレーンの組み合わせ情報を記憶するプレーン合成情報記憶部（補助記憶部１１０）と、前記プレーン合成情報に基づいてプレーンの合成映像情報を作成するプレーン合成処理部（プレーン合成処理部Ａ１１６ａ,プレーン合成処理部Ｂ１１６ｂ） と、前記作成した合成映像情報をリモコン装置２００に送信する通信処理部（双方向リモコン通信処理部１１４）とを備え、リモコン装置２００は、前記送信された合成映像情報を受信して表示する表示処理部２１２を備えたことを特徴とする。
【０００７】
請求項２に係る本発明のカラオケシステム１は、上記の目的を達成する為に、請求項１に記載のカラオケシステムにおいて記プレーン合成情報記憶部は、カラオケ装置およびリモコン装置毎にプレーン合成情報を記憶することを特徴とする。
【０００８】
請求項３に係る本発明のカラオケシステム１は、上記の目的を達成する為に、請求項１または請求項２に記載のカラオケシステム１において、前記リモコン装置は、前記プレーン合成情報の登録機能を備え、登録されたプレーン合成情報をカラオケ装置に送信することを特徴とする。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明に係るカラオケシステムによれば、カラオケ装置のモニタに表示する各種表示情報の適宜選択して、その全部乃至一部をカラオケ用リモコン装置の表示部で表示することができるので、特に、カラオケ装置で歌唱中において歌詞を表示中のモニタに警告情報やガイドメッセージを表示することなく、リモコン装置に表示して、ユーザに警告・通知することができるので、カラオケ装置の表示画面上に邪魔な表示をして、歌唱している人の気分を害することを防止できる。
【００１１】
また、サービスマンがメンテナンスを実施する際にも、サービス用のモニタを持参ことも、又、カラオケ装置にサービス用のモニタを接続する必要もなくなるため、作業時間の短縮化を図ることができる。
【発明を実施するための最良の形態】
【００１２】
以下、この発明の実施の形態を説明する。
【実施例１】
【００１３】
つぎに、本発明の実施の形態を、図面と共に詳細に説明する。
【００１４】
図１は、本発明に係るカラオケシステム１の全体構成を示すブロック図であって、通信カラオケ装置に適用した場合の基本構成を示している。
【００１５】
１００は通信カラオケ装置を示している。１０２は、システム制御部であり、カラオケ装置１００の全体を制御するものであって、各種の入出力装置の制御、メモリー管理及びデータ処理などを行う。
【００１６】
１０４は操作部であり、カラオケ装置１００の各種状態を設定する各種キー、スイッチで構成される。
【００１７】
１０６はフォント制御部であって、後述する補助記憶部１１０から取り出した歌詞データおよび色替えデータと、主記憶部１０８から取り出したフォント情報に基づいて、表示用のビットマップデータを変換作成して、プレーン２処理部１２４に展開する。
【００１８】
１０８は主記憶部であって、カラオケ装置を制御するための各種制御プログラム、フォント情報、制御に必要な複数のフラグ情報やデータ等を記憶するＲＯＭおよび又はＲＡＭなどで構成されている。
【００１９】
１１０は補助記憶部であり、ネットワーク４００を経由して接続されたホストコンピュータ３００から配信された通信カラオケデータ（楽曲データ、歌詞データ、色替えデータなど）を記憶するためのものであり、大容量のハードディスク等で構成される。また、補助記憶部１１０には、後述するリモコン装置２００から受信した合成するプレーンの組み合わせ指示情報であるプレーン合成情報が記憶される。
【００２０】
１１２は前記ホストコンピュータ３００と通信を行うための通信処理部である。
【００２１】
１１４は双方向リモコン通信処理部であり、後述するブルートゥース （Bluetooth）通信機能を備えたリモコン装置２００との間で各種データの双方向通信を行う。
【００２２】
１２４は各種映像情報がビットマップデータとして展開されるプレーン１，２，３，４，〜，Ｎを備えたプレーン処理部であり、一枚のプレーンは、一画面を構成している。ここで、ユーザ操作によるイベント発生に対する情報データ（警告情報、ガイドメッセージなど）はプレーン１に展開され、歌詞映像はプレーン２に展開され、背景映像はプレーン３に展開され、保守点検サービス用の設定メニュー情報映像はプレーン４に展開され、その他、情報映像毎にプレーンが割り当てられて展開される構成となっている。
【００２３】
１１６はプレーン合成処理部であり、前記プレーン処理部のプレーン１〜Ｎの映像情報を適宜選択して合成処理する。プレーン合成処理部１１６は、カラオケ装置１００のモニタ１２２に表示する映像を合成するプレーン合成処理部Ａ１１６ａと、リモコン装置２００で表示する映像を合成するプレーン合成処理部Ｂ１１６ｂを備えている。
【００２４】
１２０はプレーン合成処理部Ａ１１６ａで合成した映像情報をモニタ１２２に表示するための表示処理部である。
【００２５】
１２６は音声処理部であり、ＭＩＤＩデータの楽曲情報を処理してスピーカ１２８ｂから出力すると共に、マイク１２８ａから入力された歌唱音声をスピーカ１２８ｂから出力する。
【００２６】
２００はカラオケ装置１００と双方向で通信するリモコン装置であり、２１０は、前記カラオケ装置１００とブルートゥース（Bluetooth）通信機能を用いて通信する双方向リモコン通信処理部である。
【００２７】
２０２はシステム制御部であり、リモコン装置２００の全体を制御するものであって、各種のリクエスト要求などの制御、メモリー管理及びデータ処理などを行う。
【００２８】
２０４は主記憶部であって、リモコン装置２００を制御するための各種制御プログラム、制御に必要な複数のフラグ情報やデータ等を記憶するＲＯＭおよび又はＲＡＭなどで構成されている。
【００２９】
２０６は補助記憶部であり、リモコン装置２００の識別情報ＩＤ，リモコン送信前のプレーン合成情報，リモコン送信前の検索指示情報や、カラオケ装置１００から受信した検索結果情報（ヒット楽曲リストなど），リクエスト処理の結果情報（予約完了情報、同一リクエスト有りの警告情報など）等を記憶する。
【００３０】
２０８は操作部であり、リクエスト入力等の各種指示や後述するプレーン合成情報の登録などの各種状態を設定するための各種キー、スイッチで構成される。
【００３１】
２１２は表示処理部であり、カラオケ装置１００から受信したプレーン映像情報や、リモコン操作情報などの各種情報をＬＣＤ２１４に表示できるように解像度変換などを行ってＬＣＤ２１４に出力する。
【００３２】
つぎに、上述のように構成された本発明に係るカラオケ装置１００とリモコン装置２００からなるカラオケシステム１の動作を図２、図３のフローチャートを参照しながら説明する。図２のフローチャートは、プレーン合成情報の登録処理のフローであり、図３のフローチャートは、カラオケ演奏時の動作フローである。
（Ａ）プレーン合成情報の登録処理
本発明のカラオケシステム１では、背景映像、歌詞映像、警告情報、設定メニュー情報等は、各映像情報毎にプレーン上にビットマップ情報として展開される。そして、所望のプレーンを選択し合成して、プレーンの合成映像を表示することができる。合成するプレーンの選択は、リモコン装置２００から行うことができ、該合成するプレーンを選択する情報（プレーン合成情報）は、カラオケ装置１００の補助記憶部１１０に記憶される。
【００３３】
店員又はユーザがプレーン合成情報を登録する際には、リモコン装置２００を用いてプレーン合成情報の登録処理の入力指示を行う（ステップ２００、以下、Ｓをステップと略記する。図面において同じ）。
【００３４】
リモコン装置２００は、プレーン合成情報の入力指示を受付けると、システム制御部２０２の制御により、プレーン合成情報の登録画面をＬＣＤ２１４に表示する（Ｓ２０２）。図４は、前記プレーン合成情報の登録画面の説明図であり、この登録画面の所望の選択ボックスにチェックを入れる事で、プレーン合成情報の選択を行うことができる。尚、プレーン合成情報は、カラオケ装置１００およびリモコン装置２００毎に設定することができ、装置毎の選択ボックスにチェックを行う。
【００３５】
選択ボックスのチェックが終わった場合は送信指示を行う。送信指示が行われると（Ｓ２０４）、選択したプレーン合成情報にタグを付加して（Ｓ２０６）、双方向リモコン通信処理部２１０からカラオケ装置１００の双方向リモコン通信処理部１１４に送信される（Ｓ２０８）。
【００３６】
カラオケ装置１００では、リモコン装置２００からデータを受信すると（Ｓ１００）、双方向リモコン通信処理部１１４によりデータに付されたタグの解析を行い（Ｓ１０２）、解析結果からデータがプレーン合成情報である場合は（Ｓ１０４）、当該プレーン合成情報を補助記憶部１１０に記憶する（Ｓ１０６）。図５は、当該プレーン合成情報に基づいて補助記憶部１１０に記憶されたプレーン合成情報テーブルの内容を説明するための概念図であり、図において、カラオケ装置１００のプレーン合成情報として、歌詞映像のテロッププレーン（プレーン２）と背景映像の背景プレーン（プレーン３）が選択されている。また、リモコン装置２００（リモコン装置Ａ）のプレーン合成情報としては、警告情報やガイドメッセージを表示する情報プレーン（プレーン１）と設定メニューを表示するメニュープレーン（プレーン４）が選択されている。
（Ｂ）カラオケ演奏処理
リモコン装置２００からカラオケの演奏リクエスト情報を受信すると（Ｓ１１０）、カラオケ装置１００は、カラオケ演奏処理を開始し（Ｓ１１２）、補助記憶部１１０からリクエスト入力された楽曲情報（ＭＩＤＩデータ、背景画の選択情報（ジャンル情報など）等）を読み出して演奏準備を行って、カラオケ演奏を開始する。
【００３７】
カラオケ演奏処理は、データの流れに着目して、音声系のデータと映像系のデータとに区分される。映像系のデータはさらに、歌詞データ、背景映像データ、その他情報データに区分される。
【００３８】
音声系のデータは、システム制御部１０２により制御されて補助記憶部１１０に格納されているＭＩＤＩデータが読み出されて音声処理部１２６に送られる（Ｓ１２０）。音声処理部１２６ではＭＩＤＩデータがデコードされ（Ｓ１２２）、スピーカ１２８ｂから出力される（Ｓ１２４）。
【００３９】
映像系のデータのうち歌詞データは、システム制御部１０２により制御されて補助記憶部１１０から該当する曲の歌詞情報（コード情報、色替え情報等）が取り出され（Ｓ１３０）、フォント制御部１０６によりプレーン２処理部１２４にビットマップデータ（ＢＭＰデータ）として展開される（Ｓ１３２）。また、背景映像情報は、システム制御部１０２により制御されて補助記憶部１１０から該当する曲の背景画の選択情報（ジャンル情報等）が取り出され（Ｓ１３４）、該選択情報に基づいて対応する背景映像が補助記憶部１１０から読み出されてプレーン３処理部１２４にビットマップデータとして展開される（Ｓ１３６）。
【００４０】
また、警告情報やガイドメッセージ等の表示すべき情報が生じた際は（Ｓ１３８）、該情報はフォント制御部１０６でフォントデータにデコードされて（Ｓ１４０）、プレーン１処理部１２４にビットマップデータとして展開される（Ｓ１４２）。
【００４１】
プレーン合成処理部Ａ１１６ａでは補助記憶部１１０に記憶されたプレーン合成情報を読み出し（Ｓ１５０）、該プレーン合成情報に基づいて、プレーン処理部１２４のプレーン１，プレーン２，プレーン３，・・・，プレーンＮの各ビットマップ情報を重ね合わせて作成した表示用ビットマップデータを保持する（Ｓ１５１）。プレーン合成処理部Ａでは、重ね合わせたビットマップデータを表示処理部１２０を介してモニタ１２２に出力する（Ｓ１５２）。
【００４２】
他方、プレーン合成処理部Ｂ１１６ｂでは補助記憶部１１０に記憶されたプレーン合成情報を読み出し（Ｓ１５４）、該プレーン合成情報に基づいて、プレーン処理部１２４のプレーン１，プレーン２，プレーン３，・・・，プレーンＮの各ビットマップ情報を重ね合せて作成した表示用ビットマップデータを保持する（Ｓ１５５）。プレーン合成処理部Ｂでは、重ね合わせたビットマップデータを双方向リモコン通信処理部１１４に送って、双方向リモコン通信処理部１１４においてタグを付加する（Ｓ１５６）。該タグは、リモコン装置２００に対して送信するその他のデータと区分するため使用される。その後、双方向リモコン通信処理部１１４から送信される（Ｓ１５８）。
【００４３】
リモコン装置２００の双方向リモコン通信処理部２１０では、カラオケ装置１００からデータを受信すると（Ｓ２１０）、受信した混在データのタグを解析し（Ｓ２１２）、表示データと解釈した場合は（Ｓ２１４）、表示処理部２１２で解像度変換を行い（Ｓ２１６）、表示用データを作成し（Ｓ２１７）、ＬＣＤ２１４に出力する（Ｓ２１８）。
【００４４】
図６は、カラオケ演奏中におけるプレーン合成処理の一例を示した概念図であり、図７は、サービスマンによる保守点検作業時におけるプレーン合成処理の例を示した概念図である。
【００４５】
図６において、プレーン１（情報プレーン（警告情報・ガイドメッセージなど））には、「予約がいっぱいです。後１０分で終了です。」という表示用ビットマップ情報が展開されている。プレーン２（テロッププレーン（歌詞表示））には、「海はひろいな」という表示用ビットマップ情報が展開されている。プレーン３（背景プレーン）には、ブルーバックの表示用ビットマップ情報が展開されている。
【００４６】
プレーン合成処理部１１６では、補助記憶部１１０に記憶されたプレーン合成情報に基づいて前記プレーン１，２，３，４，〜，Ｎを合成する。
【００４７】
リモコン装置２００のプレーン合成情報がプレーン１のみが選択されている場合は、プレーン合成処理部Ｂ１１６ｂは、プレーン１のビットマップ情報のみを、リモコン装置２００へ送信し、リモコン装置２００では、図に示したように、プレーン１の表示情報が表示される。
【００４８】
又、カラオケ装置１００のプレーン合成情報として、プレーン１，２，３が選択されている場合は、プレーン合成処理部Ａ１１６ａは、プレーン１，２，３のビットマップ情報を合成してリモコン装置２００へ送信し、リモコン装置２００では、（Ａ）で示したカラオケ装置のように、プレーン１，２，３の内容（「予約がいっぱいです。後１０分で終了です。」＋「海はひろいな」＋ブルーバック）が表示される。
【００４９】
又、カラオケ装置１００のプレーン合成情報として、プレーン２，３が選択されている場合は、プレーン合成処理部Ａ１１６ａは、プレーン２，３のビットマップ情報を合成してリモコン装置２００へ送信し、リモコン装置２００では、（Ｂ）で示したカラオケ装置のように、プレーン２，３の内容（「海はひろいな」＋ブルーバック）が表示される。
【００５０】
図７において、カラオケ装置１００からリモコン装置２００には、プレーン１およびプレーン４を合成したデータを送信している。カラオケ装置１００に付属するモニタ１２２には、プレーン２およびプレーン３を合成したデータを表示した例を示している。
【００５１】
図７において、プレーン１（情報プレーン（警告情報・ガイドメッセージなど））には、「番号を入力してください。」という表示用ビットマップ情報が展開されている。プレーン４（メニュープレーン）には、「設定メニュー  １．初期設定  ２．システム設定  ３．その他設定」という表示用ビットマップ情報が展開されている。プレーン３（背景プレーン）には、ブルーバックの表示用ビットマップ情報が展開されている。
【００５２】
プレーン合成処理部１１６では、補助記憶部１１０に記憶されたプレーン合成情報に基づいて前記プレーン１，２，３，４，〜，Ｎを合成する。
【００５３】
リモコン装置２００のプレーン合成情報にプレーン１およびプレーン４が選択されている場合は、プレーン合成処理部Ｂ１１６ｂは、プレーン１とプレーン４のビットマップ情報を合成してリモコン装置２００へ送信し、リモコン装置２００では、図に示したように、プレーン１およびプレーン４の表示情報が表示される。
【００５４】
又、カラオケ装置１００のプレーン合成情報として、プレーン２，プレーン３およびプレーン４が選択されている場合は、プレーン合成処理部Ａ１１６ａは、プレーン２，プレーン３およびプレーン４のビットマップ情報を合成してリモコン装置２００へ送信し、リモコン装置２００では、（Ａ）で示したカラオケ装置のように、プレーン２，プレーン３およびプレーン４の内容（「番号を入力してください。」＋ブルーバック＋「設定メニュー  １．初期設定  ２．システム設定  ３．その他設定」）が表示される。
【００５５】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００５６】
【図１】本発明に係るカラオケシステム１の全体構成を示すブロック図である。
【図２】本発明に係るカラオケシステム１のプレーン合成情報の登録処理を示したフローチャートである。
【図３】本発明に係るカラオケシステム１のカラオケ演奏時の動作フローチャートである。
【図４】本発明に係るカラオケシステム１のプレーン合成情報の登録画面の説明図である。
【図５】本発明に係るカラオケ装置１００の補助記憶部１１０に記憶されたプレーン合成情報テーブルの概念図である。
【図６】本発明に係るカラオケシステム１において、カラオケ演奏中におけるプレーン合成処理の例を示した概念図である。
【図７】本発明に係るカラオケシステム１において、サービスマンによる保守点検作業時におけるプレーン合成処理の例を示した概念図である。
【符号の説明】
【００５７】
１        カラオケシステム
１００    カラオケ装置
１０２    システム制御部
１０４    操作部
１０６    フォント制御部
１０８    主記憶部
１１０    補助記憶部
１１２    通信処理部
１１４    双方向リモコン通信処理部
１１６    プレーン合成処理部
１２０    表示処理部
１２２    モニタ
１２４    プレーン処理部
１２６    音声処理部
１２８ａ  マイク
１２８ｂ  スピーカ
２００    リモコン装置
２０２    システム制御部
２０４    主記憶部
２０６    補助記憶部
２０８    操作部
２１０    双方向リモコン通信処理部
２１２    表示処理部
２１４    ＬＣＤ
３００    ホストコンピュータ
４００    ネットワーク
【図１】
2005258008.tif 000003
【図２】
2005258008.tif 000004
【図３】
2005258008.tif 000005
【図４】
2005258008.tif 000006
【図５】
2005258008.tif 000007
【図６】
2005258008.tif 000008
【図７】
2005258008.tif 000009